(57)【要約】【課題】  金属製メガネフレームのリム切口部位にロウ付けされ、リム外側面からの突出寸法を抑えたブローチの取付け構造の提供。【解決手段】  リム２の外側面８を切欠いて凹部９を形成し、この凹部９にブローチ１を嵌めてロウ付けした取付け構造。【選択図】    図１
0003127895.tif 000002
【実用新案登録請求の範囲】
【請求項１】
金属製メガネフレームのリム切口部位にロウ付けされるブローチにおいて、リムの外側面を切欠いて凹部を形成し、この凹部にブローチを嵌めてロウ付けしたことを特徴とするブローチの取付け構造。
【請求項２】
鼻当てパットを取付けた脚をブローチにロウ付けした請求項１記載のブローチの取付け構造。
【考案の詳細な説明】
【技術分野】
【０００１】
本考案はレンズが嵌るリムを閉じる為に設けているブローチの取付け構造に関するものである。
【背景技術】
【０００２】
図４は従来の一般的な金属製のメガネフレームであり、該メガネフレームはフロント部（イ）と２本のツル（ロ）、（ロ）から成っている。フロント部（イ）は両リム（ハ）、（ハ）が連結部材（ニ）にて連結され、リム外側にはヨロイ（ホ）、（ホ）がロウ付けされ、そして上記ツル（ロ）、（ロ）はヨロイ（ハ）、（ハ）に蝶番（ヘ）、（ヘ）を介して折畳み出来るように取付けられている。
【０００３】
ところで、上記リム（ハ）にレンズが嵌められるが、その為に該リム（ハ）にはブローチが設けられ、ブローチのネジを弛めることでリム（ハ）の周長を拡大することが出来る。リム（ハ）にレンズが嵌った後はネジを締めて固定される。リム（ハ）の形状は同図に示す単純な円形に限らず色々な形状となるが、その一部には上記ブローチが設けられている。
【０００４】
図５は従来の一般的なブローチを表している。リム（ハ）の外側面にブリーチ（ト）がロウ付けされ、下方からネジ（チ）が螺合して締付けられている。ブローチ（ト）は上ブローチ片（リ）と下ブローチ片（ヌ）から成り、上ブローチ片（リ）はリム（ハ）の切口となる上リム端（ル）にロウ付けされ、下ブローチ片（ヌ）は下リム端（オ）にロウ付けされている。
【０００５】
そこで、上記ネジ（チ）を弛めるならば上下ブローチ片（リ）、（ヌ）が離れ、同時に上リム端（ル）と下リム端（オ）が離れて切口が開口し、その結果、リム周長が拡大する。ブローチ（ト）はリム（ハ）の外側にロウ付けした状態で切口と共に切断して上ブローチ片（リ）と下ブローチ片（ヌ）に分離されるが、リム（ハ）の外側から大きくはみ出している。
【０００６】
このことはメガネフレームの外観を損なうことから、一般的なメガネの場合にはヨロイ（ホ）の背面側に位置して設けている。従って、正面及び側面からは該ブローチ（ヌ）がヨロイ（ホ）に隠れて見えないようになる。しかし、メガネフレームのデザインによってはヨロイ（ホ）の背面に設けることが出来ないケースが発生する。
【０００７】
特開２０００−３１０７５３号に係る「メガネフレームのブローチ構造」は、リムにレンズを着脱する為のブローチにおいて、ブローチのロウ付け加工をなくすことでヨロイが高温でロウ付け出来、その結果、ヨロイが外れることのないブローチ構造である。そこで、ブローチはフロントフレームと一体化して成形すると共に、大ブローチ片と小ブローチ片に分離して互いにネジ止めされ、大ブローチ片にはヨロイを高温でロウ付けしている。
【０００８】
特開平１０−１７０８７２号に係る「メガネフレームのネジロック構造」メガネフレームのリムの切り口端に設けてリムを締め付けするブローチのネジロック構造であって、ネジに大きな負担を与えることなく、仮にネジが破断した場合には簡単に該ネジを取除くことの出来るネジロック構造としている。そこで、両ブローチが噛み合った状態で穴を貫通し、この穴にはパイプを挿嵌して一方のブローチに抜けないように止着し、そして、パイプの中心軸に形成したネジ穴にはネジを螺合して両ブローチを締め付けしている。
【０００９】
このように、ブローチ構造に関しての発明は色々知られているが、リムにロウ付け・固定されたブローチの外観を考慮したメガネフレームは存在していない。
【特許文献１】特開２０００−３１０７５３号に係る「メガネフレームのブローチ構造」
【特許文献２】特開平１０−１７０８７２号に係る「メガネフレームのネジロック構造」
【考案の開示】
【考案が解決しようとする課題】
【００１０】
このように、金属製メガネフレームのリムに設けているブローチには上記のごとき問題がある。本考案が解決しようとする課題はこの問題点であり、メガネフレームの外観向上の為に、リムの外側に大きく突出しないようにしたブローチの取付け構造を提供する。
【課題を解決するための手段】
【００１１】
レンズが嵌るリムを金属製とする場合、リムの周長を拡大しなくてはレンズの着脱が不可能である。そこで、リムの一箇所には切口を有し、この切口を開くことで周長を拡大することが可能と成る。ブローチはこの切口にロウ付けされて、切口が開かないように固定する為の部位である。ところで、本考案では切口部位の外側面を凹状に切欠き、この凹部にブローチを嵌めてロウ付けする。従って、ブローチの突出高さは凹部の深さに相当する寸法だけ低くなる。
【考案の効果】
【００１２】
本考案のブローチ取付け構造は、リムの外側に凹部を切欠き、この凹部にブローチを嵌めてロウ付けしている為に、リム外側面からのブローチの突出高さは低くなる。従って、メガネフレームの外観がブローチの為に損なわれることがない。又、従来のようにヨロイの背面側にブローチを設ける必要もなくなる。そして、ブローチをリム外側面に形成した凹部に嵌めてロウ付けされることで、ロウ付け面積が拡大する為に、ブローチの離脱防止を図ることも出来る。
【実施例】
【００１３】
図１は本考案に係るブローチの取付け構造を表している外観図であり、同図の１はブローチ、２はリムを示している。該ブローチ１はフロント部の中央側に設けられ、上ブローチ片３と下ブローチ片４から成り、上ブローチ片３は上リム端５にロウ付けされ、下ブローチ片４は下リム端６にロウ付けされ、そして上下ブローチ片３，４はネジによって締付けられている。
【００１４】
従って、上リム端５及び下リム端６の境界はリム２の切口７となり、上ブローチ片３と下ブローチ片４がネジ締めされることで切口７は閉じられる。ところで、ブローチ１は同図に示すようにリム２の外側にロウ付けされるが、本考案では単なる外側面ではなく、リム外側面に凹部を切欠き、この凹部にブローチ１を嵌めた状態でロウ付けしている。
【００１５】
図２はブローチ１をロウ付けする前のリム２を表しているが、外側面８に凹部９を切欠いて形成している。この凹部９にブローチ１を嵌めてロウ付けする。該ブローチ１はロウ付けした後で切断されて、上ブローチ片３と下ブローチ片４とに分離される。
【００１６】
このように、凹部９にブローチ１が嵌ってロウ付けされることで、外側面８からブローチ１の先までの突出寸法は凹部９の深さに相当する分だけ小さくなる。このことは、メガネフレームとして正面から見た場合のブローチ１が小さくなり、目立たなく、ひいてはメガネフレームの外観の向上に結びつく。しかも、凹部９に嵌ってロウ付けされる為に、ロウ付け面積が拡大して剥がれ落ちることはなくなる。
【００１７】
図３はリム２にロウ付けしたブローチ１を利用して鼻当てパット１０を取付けた実施例である。鼻当てパット１０は、ブローチ１にロウ付けされて逆Ｕ形に湾曲した脚１１の先端に取付けられている。勿論、リム２の外側面８に当接してロウ付けする場合が一般的であるが、ブローチ１をフロント部の中央側に設けることで、該ブローチ１に脚１１をロウ付けすることが出来る。
【図面の簡単な説明】
【００１８】
【図１】本考案に係るブローチ取付け構造を示す外観図。
【図２】ブローチがロウ付けされる前のリム外観。
【図３】ブローチに鼻当てパットの脚をロウ付けした場合。
【図４】一般的な金属製メガネフレーム。
【図５】従来のブローチ取付け構造。
【符号の説明】
【００１９】
１  ブローチ
２  リム
３  上ブローチ片
４  下ブローチ片
５  上リム端
６  下リム端
７  切口
８  外側面
９  凹部
10  鼻当てパット
11  脚
【図１】
0003127895.tif 000003
【図２】
0003127895.tif 000004
【図３】
0003127895.tif 000005
【図４】
0003127895.tif 000006
【図５】
0003127895.tif 000007